(57)【要約】
【課題】　　棒状に形成された固体燃料を一端側から他端側に向かって安定して燃焼させることができる、棒状の固体燃料に外嵌されるカバーを提供する。
【解決手段】水平方向に対して長手方向が所定の角度をなすように配設される棒状の固体燃料に外嵌されるカバーであって、該長手方向に沿ってスライド自在に該固体燃料に外嵌される筒状のカバー本体と、該カバー本体が外嵌された該固体燃料の上端に該カバー本体の上端よりも上方にて当接することで該固体燃料の上端に対する該カバー本体の降下を禁止する移動制限部と、を備えてなり、該カバー本体が外嵌された該固体燃料の上端の少なくとも一部が露出しているものである、カバーである。
【選択図】　図１
0003099185.tif 000002
【実用新案登録請求の範囲】
【請求項１】
　　　　水平方向に対して長手方向が所定の角度をなすように配設される棒状の固体燃料に外嵌されるカバーであって、
　　　　該長手方向に沿ってスライド自在に該固体燃料に外嵌される筒状のカバー本体と、
　　　　該カバー本体が外嵌された該固体燃料の上端に該カバー本体の上端よりも上方にて当接することで該固体燃料の上端に対する該カバー本体の降下を禁止する移動制限部と、
を備えてなり、
　　　　該カバー本体が外嵌された該固体燃料の上端の少なくとも一部が露出しているものである、カバー。
【請求項２】
　　　　前記移動制限部が、前記カバー本体の上端の縁部に基端が取り付けられた一対の突起により形成され、
　　　　該一対の突起の先端が互いに近づく方向に該一対の突起が屈曲しているものである、請求項１に記載のカバー。
【請求項３】
　　　　前記一対の突起の先端同士の距離が２〜６ｍｍである、請求項２に記載のカバー。
【請求項４】
　　　　前記一対の突起の先端同士の距離が４〜６ｍｍである、請求項２に記載のカバー。
【請求項５】
　　　　前記カバー本体の内側面と、前記固体燃料の外側面と、の間に隙間が形成されるものである、請求項１乃至４のいずれかに記載のカバー。
【請求項６】
　　　　前記隙間の平均値が１〜２ｍｍである、請求項５に記載のカバー。
【請求項７】
　　　　前記隙間の平均値が１．２５〜１．７５ｍｍである、請求項５に記載のカバー。
【請求項８】
　　　　前記カバー本体から側方へ突出する燃えかす受け部が形成されたものである、請求項１乃至７のいずれかに記載のカバー。
【請求項９】
　　　　前記燃えかす受け部が、前記カバー本体の上端に形成されているものである、請求項８に記載のカバー。
【請求項１０】
　　　　前記燃えかす受け部が分割されているものである、請求項９に記載のカバー。
【請求項１１】
　　　　前記カバー本体の上端近傍に空気の取り入れ口を形成したものである、請求項１乃至１０のいずれかに記載のカバー。
【請求項１２】
　　　　前記長手方向に沿って前記カバー本体がスライド自在に外嵌され、前記固体燃料の下端を支持する支持部を、さらに備えてなる、請求項１乃至１１のいずれかに記載のカバー。
【請求項１３】
　　　　請求項１乃至１２のいずれかに記載の前記カバーと、該カバーの前記カバー本体が外嵌された前記固体燃料と、を含んでなる、固体燃料燃焼具。
【考案の詳細な説明】
【技術分野】
【０００１】
　本考案は、棒状の固体燃料に外嵌されるカバーに関し、より詳細には、棒状の固体燃料を一端側から他端側に向かって燃焼させる（即ち、いつも先端部分のみが燃焼している状態を保持する）ことができるカバーに関する。
【背景技術】
【０００２】
　蝋燭は、古くから照明目的等のため用いられてきた。蝋燭は、その長手方向に沿って芯が埋設され、この芯に沿って（一端側から他端側に向かって）燃焼がゆっくりと安定して進行するので、ある程度の長い時間にわたり安全に用いられることができる。そして、最近では、蝋燭の炎が醸し出す独特の甘く美しい雰囲気により、結婚式、レストラン、酒場等の雰囲気作りを行うことが多く、このための器具も知られている（例えば、特許文献１参照。）。
　一方、最近では、主として料理屋や旅館等において料理（例えば、各人別々の鍋料理等）の加熱用等に固体燃料（固形燃料とも呼ばれる。）が用いられるようになってきた（例えば、特許文献２参照。）。かかる固体燃料は、従前から用いられてきたガスコンロに比してガスホースやガスボンベ等を用いてガスを供給する必要がないので、極めて簡単に料理を加熱することができるので、多用される傾向にある。
【特許文献１】登録実用新案第３０６６６９７号公報（第１−９図）
【特許文献２】実開昭６１−１５１６２７号公報（第１図）
【考案の開示】
【考案が解決しようとする課題】
【０００３】
　しかしながら、かかる固体燃料は、棒状に形成されたものであっても、一端に点火するとまたたく間に全体に炎が広がるものであり、蝋燭のように一端側から他端側に向かって燃焼が安定して進行するものではなかった。
　このため固体燃料は、ある程度の長い時間にわたり安全にゆっくりと燃焼させる目的（例えば、照明目的）に用いることは難しかった。
　そこで、本考案では、棒状に形成された固体燃料を一端側から他端側に向かって安定して燃焼させることができる、棒状の固体燃料に外嵌されるカバーを提供することを目的とする。
【課題を解決するための手段】
【０００４】
　本考案の棒状の固体燃料に外嵌されるカバー（以下、「本カバー」という。）は、水平方向に対して長手方向が所定の角度をなすように配設される棒状の固体燃料に外嵌されるカバーであって、該長手方向に沿ってスライド自在に該固体燃料に外嵌される筒状のカバー本体と、該カバー本体が外嵌された該固体燃料の上端に該カバー本体の上端よりも上方にて当接することで該固体燃料の上端に対する該カバー本体の降下を禁止する移動制限部と、を備えてなり、該カバー本体が外嵌された該固体燃料の上端の少なくとも一部が露出しているものである、カバーである。
【０００５】
　ここに「水平方向に対して長手方向が所定の角度をなすように配設される棒状の固体燃料」とは、固体燃料が形成する棒形状（直線に略沿ってのびる形状をいい、例えば、円柱、角柱、楕円柱、半円柱等を一例として挙げることができる。）の長手方向（例えば、棒形状が円柱であれば、その軸の方向）が、水平方向に対してなす角（該長手方向に平行な直線を含む鉛直平面内において水平方向と該直線とがなす角をいう。）のうち小さい方の角（０度以上９０度以下）が所定の角度をなすような状態の固形燃料をいう。また、ここにいう「所定の角度」（０度以上９０度以下）とは、０度より大きければよいが（無論、９０度以下）、後述するように固体燃料の上端部分が燃焼して消失するに伴い、カバー本体が自重（重力）により自動的に降下することを円滑に行わしめることからは、できる限り大きい（即ち９０度に近い）ことが好ましいので、好ましくは３０度以上であり、より好ましくは４５度以上であり、最も好ましくは６０度以上である（いずれも９０度以下）。
【０００６】
　さらに、「固体燃料」とは、点火されることで燃焼を維持することができる固体の燃料であればいかなるものであってもよく何ら制限されるものではないが、例えば、前述した主として料理屋や旅館等において料理（例えば、各人別々の鍋料理等）の加熱用等に用いられる固体燃料（固形燃料とも呼ばれる。）等を用いることもできる。そして、この固体燃料には、燃焼時に所望の色彩を火炎が呈するように様々な添加物（火炎中にて炎色反応を生じる物）を混合してもよく、こうすることで、火炎が所望の色彩を有することから、火炎が独特の美しい雰囲気を作り出すことができ、結婚式、レストラン、酒場等の雰囲気作りを効果的に行うことができる。
【０００７】
　本カバーでは、筒状のカバー本体が、長手方向（棒状の固体燃料の長手方向）に沿ってスライド自在に固体燃料に外嵌される（なお、カバー本体が形成する筒状とは、該長手方向（棒状の固体燃料の長手方向）に対する垂直な断面における形状はいかなるものであってもよく、円、半円、多角形、楕円等を一例として挙げることができる。）。
　そして、移動制限部が、カバー本体が外嵌された固体燃料の上端にカバー本体の上端よりも上方にて当接することで固体燃料の上端に対するカバー本体の降下を禁止するので、固体燃料の上端の少なくとも一部がカバー本体の上端から突出した状態（このときカバー本体が外嵌された固体燃料の上端の少なくとも一部が露出している。）にて固体燃料の上端に対してカバー本体が支持される。このためカバー本体の上端から突出した固体燃料の上端の部分は、容易に点火されると共にその後燃焼することができる（カバー本体が外嵌された固体燃料の上端の少なくとも一部が露出しているので、固体燃料の上端の部分は点火され及び燃焼することができる。）。なお、本カバーのカバー本体及び移動制限部は、固体燃料の燃焼によっても燃焼しない材質（例えば、鋼材等）により形成されているのでこれらは燃焼しないことに加え、カバー本体は、カバー本体の上端から突出した固体燃料の上端の部分以外の固体燃料の部分が燃焼しないように固体燃料を覆う。
　そして、燃焼によって固体燃料の上端の部分が消失すると、それまで移動制限部が当接していた固体燃料の上端部分がなくなるので、カバー本体の自重（重力）によってカバー本体が、移動制限部が固体燃料の上端部分に当接するまで降下する。このようにして固体燃料の上端部分の燃焼による消失に伴い、カバー本体が自重（重力）により自動的に降下して、常に固体燃料の上端部分近傍のみを燃焼させる。
　即ち、本カバーは、棒状に形成された固体燃料を一端（上端）側から他端（下端）側に向かって安定して燃焼させることができる、棒状の固体燃料に外嵌されるカバーである。
【０００８】
　前記移動制限部が、前記カバー本体の上端の縁部に基端が取り付けられた一対の突起により形成され、該一対の突起の先端が互いに近づく方向に該一対の突起が屈曲しているもの（以下、「突起使用本カバー」という。）であってもよい。
　こうすることで一対の突起が、カバー本体が外嵌された固体燃料の上端に確実に当接することができる。
【０００９】
　突起使用本カバーの場合、前記一対の突起の先端同士の距離は、あまり大きいと前記一対の突起が固体燃料の上端にうまく当接することができなくなったり燃焼時間が短くなることがあり、あまり小さいと燃焼が不安定になること（火炎の大きさが変化する）があるので、好ましくは２〜６ｍｍとされ、より好ましくは４〜６ｍｍとされ、最も好ましくはほぼ５ｍｍ（４．５〜５．５ｍｍ）とされる。
【００１０】
　前記カバー本体の内側面と、前記固体燃料の外側面と、の間に隙間が形成されるもの（以下、「隙間形成本カバー」という。）であってもよい。
　このようにカバー本体の内側面と固体燃料の外側面との間に隙間を形成することで、カバー本体の下端側から該隙間を経て固体燃料に空気が供給されるので固体燃料の燃焼を促進したり安定させることができることや、固体燃料の燃焼に伴って生成する燃えかす（すす等）が該隙間に落下する（下方に排出される）ので目につきやすいカバー本体の外部の汚れを防止又は減少させることができる。
【００１１】
　隙間形成本カバーの場合、前記隙間は、あまり大きいと固体燃料の上端部分近傍のみならずカバー本体の内部に存する固体燃料の部分も燃焼したり、固体燃料の燃焼速度が大きくなりすぎたり（炎が大きすぎたり、燃焼時間が短くなりすぎる）、逆にあまり小さいと燃えかすが隙間をうまく通過することができなくなったり、固体燃料への空気の供給が不足することがある。このため通常、前記隙間の平均値は、好ましくは１〜２．５ｍｍとされ、より好ましくは１〜２ｍｍとされ、最も好ましくは１．２５〜１．７５ｍｍとされる（ほぼ１．５ｍｍが最良）。
　なお、「隙間の平均値」とは、前記長手方向（棒状の固体燃料の長手方向）に対する垂直な平面（カバー本体の上端を通過する平面）による断面において、カバー本体の内側面と固体燃料の外側面との間の距離の平均値（前記長手方向の周囲全部の該距離の積分値を、固体燃料の外側面の周囲長さで除した値）をいう。
【００１２】
　前記カバー本体から側方へ突出する燃えかす受け部が形成されたものであってもよい。
　こうすることで固体燃料の燃焼に伴って生成し下方へ落下する燃えかすを、燃えかす受け部が受けるので、燃えかすによって周囲を汚すことを防止又は減少させることができる。
　また、燃えかす受け部は、カバー本体の上端に形成されていてもよい。こうすることで下方へ落下する燃えかすを、カバー本体の上端に形成された燃えかす受け部によって受けるので、燃えかす受け部が形成された上端よりも下に位置するカバー本体のほとんどの部分が燃えかすによって汚れることを防止又は減少させることができる。そして、燃えかす受け部がカバー本体の上端に形成されている場合、前記燃えかす受け部が分割されていてもよい。カバー本体の上端に形成される燃えかす受け部は、カバー本体の上端から突出した固体燃料の上端の部分への酸素の供給を妨げるが（該上端の部分への空気の流れを邪魔する。）、燃えかす受け部を分割することで分割された燃えかす受け部の間に隙間が生じることから、該隙間を経由して該上端の部分へ酸素が供給されるので（該上端の部分へ該隙間を経由した空気の流れが可能になるので）該上端の部分の燃焼を安定させたり促進することができる。
【００１３】
　前記カバー本体の上端近傍に空気の取り入れ口を形成したものであってもよい。
　こうすることで固体燃料に十分に空気を供給することができるので、固体燃料の燃焼を促進したり安定させることができる。
【００１４】
　前記長手方向に沿って前記カバー本体がスライド自在に外嵌され、前記固体燃料の下端を支持する支持部を、さらに備えてなるものであってもよい。
　こうすることで、固体燃料の下端が確実に支持されるので、固体燃料の燃焼を安定させかつ安全ならしめることができる。また、支持部にカバー本体が外嵌された状態において、前記長手方向（棒状の固体燃料の長手方向）に沿って前記カバー本体がスライド自在であるので、上述した、固体燃料の上端部分の燃焼による消失に伴うカバー本体の降下を妨げない。
【００１５】
　以上説明したように本カバーは、固体燃料の上端部分の燃焼による消失に伴ってカバー本体が降下して、常に固体燃料の上端部分近傍のみを燃焼させるのに用いることができる。そして、本カバーは、本カバーと、本カバーの前記カバー本体が外嵌された前記固体燃料と、を含んでなる、固体燃料燃焼具を構成することができる。
【考案を実施するための最良の形態】
【００１６】
　本考案の実施の形態を図面を参照して詳述するが、本考案はこれに限定されるものではない。
【００１７】
　図１は、一実施形態の本考案のカバー（本カバー）のカバー部１１を示す正面図（一部省略）であり、図２はカバー部１１を示す平面図（図１中、矢印Ａ方向から見たところを示している。）であり、図３は図２のＢ−Ｂ断面図（一部拡大図）である。図１乃至図３を参照して、本カバーのカバー部１１について説明する（本カバーは、後述の支持部４１とカバー部１１とにより構成されている。）。なお、図中、上方向を矢印Ｃ１にて、下方向を矢印Ｃ２にて、それぞれ示した。
　カバー部１１は、ステンレス鋼管を用いて一体に形成されており（ここではほぼ５０〜７０ｇ程度の重量）、直円筒形状を有するカバー本体１３と、カバー本体１３の上端の縁部に基端１５ａｂ、１５ｂｂが取り付けられた一対の突起１５ａ、１５ｂと、カバー本体１３から側方へ突出する燃えかす受け部１７ａ、１７ｂ、１７ｃ、１７ｄ、１７ｅ、１７ｆと、を備えてなる。
【００１８】
　カバー本体１３は、直円筒（直円柱）形状を有しており（ここでは内径約１４ｍｍ、外径約１６ｍｍ、上下方向に沿った長さ約１８０ｍｍ）、その一端（上端）には一対の突起１５ａ、１５ｂの基端１５ａｂ、１５ｂｂが取り付けられると共に、燃えかす受け部１７ａ、１７ｂ、１７ｃ、１７ｄ、１７ｅ、１７ｆが形成されている。
【００１９】
　一対の突起１５ａ、１５ｂは、その先端１５ａａ、１５ｂａが互いに近づく方向に屈曲しており、一対の突起１５ａ、１５ｂの先端１５ａａ、１５ｂａ同士の間の距離は、基端１５ａｂ、１５ｂｂ同士の間の距離よりも小さくなっている。
　一対の突起１５ａ、１５ｂは互いに略同じ形状を有しており、ここでの概略寸法を例示すれば、図３中、ｆ１（後述の燃えかす受け部の内面と突起１５ａ、１５ｂの外面とが離れる位置から突起１５ａ、１５ｂの屈曲点までの距離）＝約３〜４ｍｍ、ｆ２＝約６ｍｍ、ｆ３＝約５ｍｍである（突起１５ｂも同様の寸法とされている。）。また、図２中、ｆ４＝約３ｍｍである（突起１５ｂも同様）。なお、上記した寸法は例示であり、これに限定されるものでないことは言うまでもない。
【００２０】
　燃えかす受け部１７ａ、１７ｂ、１７ｃ、１７ｄ、１７ｅ、１７ｆは、いずれも略同じ形状を有しており、カバー本体１３の上端の縁部に沿って花弁状に形成されている。ここの概略の寸法を示せば、図２中のｄ１＝約７〜８ｍｍ、ｄ２＝約１０〜１５ｍｍであり、図１中のｄ３＝約１０〜１５ｍｍ（なお、ｄ３の一端は、カバー本体１３の上端である。）であるが、これに限定されるものでないことは言うまでもない。
　また、燃えかす受け部１７ａ、１７ｂ、１７ｃ、１７ｄ、１７ｅ、１７ｆは、先端に行くにつれて上方に上昇するように形成されており（逆に言えば、中心部が低くなるように形成されている。）、燃えかす受け部１７ａ、１７ｂ、１７ｃ、１７ｄ、１７ｅ、１７ｆの上面に燃えかすが降下すると、該上面を燃えかすが滑り落ちて最終的にはカバー本体１３の内部に落下するので、燃えかすが目につかず美感を損ねない。
【００２１】
　次いで、カバー部１１と支持部４１とにより構成される本カバー１０と、その使用方法について説明する。
　図４は、カバー部１１と支持部４１とにより構成される本カバー１０の分解図である。図４を参照して、本カバー１０について説明する。
　支持部４１は、固体燃料３１の下端３１ｂを支持するものであり、ここではステンレス鋼によって形成されている。支持部４１は、細長い直円柱形状をした支持棒４５と、支持棒４５の一端（下端）に取り付けられた円盤（両主表面が略円形であり、支持棒４５が形成する直円柱の軸と該両主表面とが略垂直になると共に、該円形の中心を該軸を含む直線が略通過するような位置関係になっている。）状の支持板４３と、を有してなる。
　そして、ここでは本カバー１０（カバー部１１と支持部４１）と、本カバー１０のカバー本体１３が外嵌された固体燃料３１と、を含んでなる、固体燃料燃焼具５１を構成するところを図４は示している。
【００２２】
　まず、略水平な載置面（図示せず。例えば、テーブルの上面）に支持板４３の下面が接するように支持部４１を載置する。
　次いで、支持棒４５の上端４５ａに、棒状の固体燃料３１の下端３１ｂを当接させる。なお、ここでは棒状の固体燃料３１として、略直円柱形（例えば、直径１１〜１２ｍｍ、長さ１０〜１５ｃｍ程度のものを用いてもよい。）に形成されたものを用いており、点火された際に所望の色彩を火炎が呈するように炎色反応を生じる物質を添加している。
　その後、支持棒４５の上端４５ａに、棒状の固体燃料３１の下端３１ｂを当接させた状態を保ったまま、固体燃料３１の上端３１ａからカバー部１１を外嵌する（図４中、外嵌する方向を矢印Ｆにて示す。）。このときカバー部１１の両端のうち突起１５ａ、１５ｂが形成された方が上端となるように、カバー部１１を外嵌する。
　このようにして図５に示すような固体燃料燃焼具５１が構成される。
【００２３】
　図６は、図５に示した固体燃料燃焼具５１のＧ−Ｇ端面図であり、図７は、図５に示した固体燃料燃焼具５１の一部断面図（既に説明した図３と同様の断面位置を示している。）である。図５乃至図７を参照して、固体燃料燃焼具５１について説明する。
　支持棒４５の上端に棒状の固体燃料３１の下端が当接していると共に、固体燃料３１の上端は一対の突起１５ａ、１５ｂに当接している（特に、図７参照）。この一対の突起１５ａ、１５ｂが固体燃料３１の上端に当接することで、カバー部１１は図５に示された位置にて支持されている。そして、カバー本体１３が外嵌された固体燃料３１の上端の一部が露出している。
　一方、ここではカバー本体１３の内側面１３ｆと、固体燃料３１の外側面３１ｆと、の間に隙間３３が形成されている。ここでは隙間３３は、固体燃料３１の外側面３１ｆのいずれの場所も約１．５ｍｍとなっている。
【００２４】
　図５乃至図７を用いて説明した固体燃料燃焼具５１の固体燃料３１の上端にマッチ等を用いて点火すると、カバー本体１３の上端から突出した固体燃料３１の上端の部分は燃焼を始め燃焼を継続する。このときカバー本体１３は、カバー本体１３の上端から突出した固体燃料３１の上端の部分以外の固体燃料３１の部分が燃焼しないように固体燃料３１を覆う役割を果たす。
　そして、燃焼によって固体燃料３１の上端の部分が消失するにつれて、それまで一対の突起１５ａ、１５ｂが当接していた固体燃料３１の上端部分がなくなるので、カバー本体１３（カバー部１１）の自重（重力）によってカバー本体１３が、一対の突起１５ａ、１５ｂが固体燃料３１の上端部分に当接するまで降下する。このようにして固体燃料３１の上端部分の燃焼による消失に伴い、カバー本体１３（カバー部１１）が自重（重力）により自動的に降下して、常に固体燃料３１の上端部分近傍のみを燃焼させていく。
　図５に示した状態から、ある程度燃焼が行われ、燃焼によって固体燃料３１の上端の部分が消失し、カバー本体１３（カバー部１１）が自重（重力）により降下したところを図８に示した。固体燃料３１の上下方向の長さが短くなった分、カバー本体１３（カバー部１１）が降下している。なお、前述したように、ここでは固体燃料３１の燃焼により生じる火炎７１は、炎色反応によって所望の色彩を有している。
【００２５】
　以上のように、本カバー１０は、水平方向（図中、矢印Ｃ１Ｃ２に対して垂直方向）に対して長手方向（図４中、矢印Ｌにて示した。）が所定の角度（ここでは略９０度。即ち、ここでは該長手方向が、鉛直方向たる矢印Ｃ１Ｃ２方向に向いている。）をなすように配設される棒状の固体燃料３１に外嵌されるカバーであって、該長手方向（図４中、矢印Ｌ）に沿ってスライド自在に固体燃料３１に外嵌される筒状のカバー本体１３と、カバー本体１３が外嵌された固体燃料３１の上端にカバー本体１３の上端よりも上方にて当接することで固体燃料３１の上端に対するカバー本体１３の降下を禁止する移動制限部たる一対の突起１５ａ、１５ｂと、を備えてなり、カバー本体１３が外嵌された固体燃料３１の上端の少なくとも一部が露出しているものである、カバーである。
【００２６】
　そして、移動制限部が、カバー本体１３の上端の縁部に基端１５ａｂ、１５ｂｂが取り付けられた一対の突起１５ａ、１５ｂにより形成され、一対の突起１５ａ、１５ｂの先端１５ａａ、１５ｂａが互いに近づく方向に一対の突起１５ａ、１５ｂが屈曲している。また、一対の突起１５ａ、１５ｂの先端１５ａａ、１５ｂａ同士の距離は約５ｍｍとされている。
　また、カバー本体１３の内側面１３ｆと、固体燃料３１の外側面３１ｆと、の間に隙間３３が形成されており、隙間３３の平均値はここでは１．５ｍｍとされている（ここでは隙間３３は、固体燃料３１の外側面３１ｆのいずれの場所も約１．５ｍｍとなるようにされている。）。
【００２７】
　さらに、カバー本体１３から側方へ突出する燃えかす受け部１７ａ、１７ｂ、１７ｃ、１７ｄ、１７ｅ、１７ｆが、カバー本体１３の上端に形成されている。これら燃えかす受け部は、それぞれの燃えかす受け部１７ａ、１７ｂ、１７ｃ、１７ｄ、１７ｅ、１７ｆの６つに分割されており、それらの間には隙間６３（図１乃至３を参照されたい）が形成されている。
【００２８】
　また、本カバー１０は、前記長手方向（図４中、矢印Ｌ）に沿ってカバー本体１３がスライド自在に外嵌され、固体燃料３１の下端３１ｂを支持する支持部４１を、さらに備えている。
　そして、本カバー１０を用いて、本カバー１０と、本カバー１０のカバー本体１３が外嵌された固体燃料３１と、を含んでなる、固体燃料燃焼具５１を構成することができる。
　また、本カバー１０のカバー本体１３を固体燃料３１に外嵌することで、固体燃料３１が折れることを防止すると共に、折れた固体燃料３１であってもカバー本体１３に挿入することで使用（燃焼）を可能ならしめる。
【００２９】
　加えて、図９に示すように、必要に応じて、カバー本体１３の上端近傍に空気の取り入れ口６１を形成するようにしてもよい。ここでは取り入れ口６１は、分割された燃えかす受け部１７ａ、１７ｂ、１７ｃ、１７ｄ、１７ｅ、１７ｆの間に形成された隙間６３から連続するように形成されているが、隙間６３とは関係なく独立して設けられてもよい。
【図面の簡単な説明】
【００３０】
【図１】一実施形態の本カバーのカバー部を示す正面図（一部省略）である。
【図２】カバー部を示す平面図である。
【図３】図２のＢ−Ｂ断面図（一部拡大図）である。
【図４】カバー部と支持部とにより構成される本カバーの分解図である。
【図５】固体燃料燃焼具の正面図である。
【図６】図５に示した固体燃料燃焼具のＧ−Ｇ端面図である。
【図７】図５に示した固体燃料燃焼具の一部断面図である。
【図８】図５に示した状態から燃焼が行われ、カバー本体（カバー部）が降下したところを示した図である。
【図９】カバー本体の上端近傍に空気の取り入れ口を形成した実施例を示す図である。
【符号の説明】
【００３１】
　　　　１０　　　　　　本カバー
　　　　１１　　　　　　カバー部
　　　　１３　　　　　　カバー本体
　　　　１３ｆ　　　　　内側面
　　　　１５ａ、１５ｂ　一対の突起
　　　　１５ａａ、１５ｂａ　先端
　　　　１５ａｂ、１５ｂｂ　基端
　　　　１７ａ、１７ｂ、１７ｃ、１７ｄ、１７ｅ、１７ｆ　燃えかす受け部
　　　　３１　　　　　　固体燃料
　　　　３１ａ　　　　　上端３１ａ
　　　　３１ｂ　　　　　下端
　　　　３１ｆ　　　　　外側面
　　　　３３　　　　　　隙間
　　　　４１　　　　　　支持部
　　　　４３　　　　　　支持板
　　　　４５　　　　　　支持棒
　　　　４５ａ　　　　　上端
　　　　５１　　　　　　固体燃料燃焼具
　　　　６１　　　　　　取り入れ口
　　　　６３　　　　　　隙間
　　　　７１　　　　　　火炎
【図１】
0003099185.tif 000003
【図２】
0003099185.tif 000004
【図３】
0003099185.tif 000005
【図４】
0003099185.tif 000006
【図５】
0003099185.tif 000007
【図６】
0003099185.tif 000008
【図７】
0003099185.tif 000009
【図８】
0003099185.tif 000010
【図９】
0003099185.tif 000011